(57)【要約】【課題】繰返し利用できるカレンダーであって、月ごとの表示変更の操作をスムーズに行うことができ、使い勝手が良いとともに簡単な構造で製造できるカレンダーを提供する。【解決手段】ひと月分の日付が７日周期複数行列で縦横整列して表示された日付表示区画２０と、最上段に並ぶ７個の日付表示区画２０の各々の上方側に隣接して配置された曜日表示用区画２２と、月表示用区画２４と、が形成されたベース板１２と、それぞれに七曜の異なる曜日が表示された７個の曜日表示磁石１４１〜１４７と、を含み、ベース板１２の日付表示区画２０の近接位置には、１年分の各月ごとに任意の一日と対応する曜日を表示させて、月変更における曜日表示磁石１４１〜１４７の変更配置操作の際に参照可能な曜日参照区画２６が形成されたことを特徴とするカレンダー１０から構成される。【選択図】図１
0003153002.tif 000002
【実用新案登録請求の範囲】
【請求項１】
ひと月分の日付が７日周期複数行列で縦横整列して表示された日付表示区画と、最上段に並ぶ７個の日付表示区画の各々の上方側に隣接して配置され各日付表示区画と同じ横幅で形成された曜日表示用区画と、日付表示区画又は曜日表示用区画に近接して表示される月表示用区画と、が形成されたベース板と、
それぞれに七曜の異なる曜日が表示され、曜日表示用区画に月が変更されるごとに日付表示に対応する位置に変更されながら磁力吸着させる７個の曜日表示磁石と、を含み、
ベース板の日付表示区画の近接位置には、１年分の各月ごとに任意の一日と対応する曜日を表示させて、月変更における曜日表示磁石の変更配置操作の際に参照可能な曜日参照区画が形成されたことを特徴とするカレンダー。
【請求項２】
ベース板の表面には、複数の縦区画線と複数の横区画線とを交差させてマトリクス表形式に区画することにより日付表示区画が形成されており、
曜日参照区画は、日付表示区画を形成している横区画線の延長部分により区画されるとともに、１週間ぶんが横並び配置された日付表示区画の各段の左右両外側に配置された請求項１記載のカレンダー。
【考案の詳細な説明】
【技術分野】
【０００１】
本考案は、月が変わるごとに表示を変更しながら繰返し使用できるカレンダーに関する。
【背景技術】
【０００２】
カレンダーは、複数の用紙を冊子状にして構成された日めくり式や月めくり式カレンダー、または月、日、曜日等の組合せを適宜変更しながら使用する万年カレンダー等の種々のタイプが普及している。近年では、環境保護の観点から紙の使用量の低減及びゴミ排出量の低減などが社会的関心も高いが、日めくり式及び月めくり式のように使用後に廃却されて年ごとに買い換えるタイプよりも、万年カレンダーのように繰返し使用できる方がゴミを出さず環境には好ましい。従来、繰返し使用できるカレンダーとしては例えば、特許文献１に提案されており、本体プレートの中央に窓が形成され窓の上縁には曜日が記載されており、日にち表示がされた日にちプレートを本体プレートと重ね合わせた状態で左右にスライドさせて、本体プレートの窓から見える日にち表示と本体プレート側の曜日との位置を合わせて使用するものであった。
【先行技術文献】
【特許文献】
【０００３】
【特許文献１】特開平１０−２３２６０８号公報
【考案の概要】
【考案が解決しようとする課題】
【０００４】
しかしながら、特許文献１のカレンダーでは、本体プレートの周囲には日にちプレートを左右にスライドさせるための余白部分が必要となるため、日にちの表示部分に比較して横幅に広い縁が形成されるので、無駄なスペースが必要で見栄えも悪かった。さらに、日にちプレートをスライドして日にち表示と曜日を合わせる際には、前の月の末日の曜日などから判別して記憶しておく必要などがあるが、操作中に不意に忘れてその月の日付と曜日の対応関係が分からなくなってしまう場合もあり、使い勝手が悪かった。また、構造が複雑になりがちで製造コストが高くつくおそれがあった。
【０００５】
本考案は、上記従来の課題に鑑みてなされたものであり、その一つの目的は、繰返し利用できるカレンダーであって、月ごとの表示変更の操作を適切にかつスムーズに行うことができ、使い勝手が良いとともに簡単な構造で製造できるカレンダーを提供することにある。
【課題を解決するための手段】
【０００６】
上記課題を解決するために本考案は、ひと月分の日付が７日周期複数行列で縦横整列して表示された日付表示区画２０と、最上段に並ぶ７個の日付表示区画２０の各々の上方側に隣接して配置され各日付表示区画２０と同じ横幅で形成された曜日表示用区画２２と、日付表示区画２０又は曜日表示用区画２２に近接して表示される月表示用区画２４と、が形成されたベース板１２と、それぞれに七曜の異なる曜日が表示され、曜日表示用区画２２に月が変更されるごとに日付表示に対応する位置に変更されながら磁力吸着させる７個の曜日表示磁石１４１〜１４７と、を含み、ベース板１２の日付表示区画２０の近接位置には、１年分の各月ごとに任意の一日と対応する曜日を表示させて、月変更における曜日表示磁石１４１〜１４７の変更配置操作の際に参照可能な曜日参照区画２６が形成されたことを特徴とするカレンダー１０から構成される。ベース板１２は、強磁性体素材等を利用した磁力吸着性の板で製造される。曜日表示磁石１４１〜１４７は、板状の磁石でもよく、駒状やブロック状のように立体的な形状の磁石でもよい。
【０００７】
また、ベース板１２の表面には、複数の縦区画線１６と複数の横区画線１８とを交差させてマトリクス表形式に区画することにより日付表示区画２０が形成されており、曜日参照区画２６は、日付表示区画２０を形成している横区画線１８の延長部分により区画されるとともに、１週間ぶんが横並び配置された日付表示区画の各段の左右両外側に配置されたこととしてもよい。
【考案の効果】
【０００８】
本考案のカレンダーによれば、ひと月分の日付が７日周期複数行列で縦横整列して表示された日付表示区画と、最上段に並ぶ７個の日付表示区画の各々の上方側に隣接して配置され各日付表示区画と同じ横幅で形成された曜日表示用区画と、日付表示区画又は曜日表示用区画に近接して表示される月表示用区画と、が形成されたベース板と、それぞれに七曜の異なる曜日が表示され、曜日表示用区画に月が変更されるごとに日付表示に対応する位置に変更されながら磁力吸着させる７個の曜日表示磁石と、を含み、ベース板の日付表示区画の近接位置には、１年分の各月ごとに任意の一日と対応する曜日を表示させて、月変更における曜日表示磁石の変更配置操作の際に参照可能な曜日参照区画が形成されたことから、月が変更されるごとに日付表示区画の日付表示に対して曜日表示磁石の配置位置を変更させながら繰返し使用でき、特に、曜日表示磁石の配置位置の変更作業の際には、曜日参照区画の表示を参照して作業を行えるので、記憶に頼ることなく適正な曜日表示磁石の配置位置を即座に把握して作業をスムーズかつ適切に行うことができ、使い勝手が良い。さらに、簡単な構造で、低コストで製造できる。
【０００９】
また、ベース板の表面には、複数の縦区画線と複数の横区画線とを交差させてマトリクス表形式に区画することにより日付表示区画が形成されており、曜日参照区画は、日付表示区画を形成している横区画線の延長部分により区画されるとともに、１週間ぶんが横並び配置された日付表示区画の各段の左右両外側に配置された構成とすることにより、限られたベース板上に曜日参照区画を効率良い配置で、簡単に製作することができる。さらに、日付を見る際には曜日参照区画が邪魔になりにくいとともに、曜日表示磁石の変更操作の際には曜日参照区画を参照しやすい。
【図面の簡単な説明】
【００１０】
【図１】本考案の一実施形態に係るカレンダーの正面図である。
【図２】図１のカレンダーの月変更時の作用説明図である。
【図３】図１のカレンダーの年変更時の作用説明図である。
【考案を実施するための形態】
【００１１】
以下、添付図面を参照しつつ本考案のカレンダーの実施の形態について説明する。本考案のカレンダーは、ひと月分の同時に記載された日付表示に対して月が変わるごとに曜日表示の配置位置を変更させながら繰返し使用できるいわゆる曜日可変型の万年カレンダーである。図１ないし図３は、本考案に係るカレンダーの一実施形態を示している。図１に示すように、本実施形態において、カレンダー１０は、日付表示区画、曜日表示用区画、月表示用区画及び曜日参照区画が形成されたベース板１２と、７個の曜日表示磁石１４１〜１４７と、を備えている。
【００１２】
図１に示すように、ベース板１２は、例えば、鉄板等を心材として表面をホーローや樹脂等でコーティングされた矩形状のホワイトボード等の磁力吸着板からなり、磁石が着脱自在に磁力吸着されるとともに、ホワイトボード記入用のマーカー及び字消し具（図示せず）で文字等を自由に記入、消去できるようになっている。ベース板１２の四周縁には、木製又はプラスチック製のフレーム１３が固定されている。ベース板１２の表面には、容易には消えないような塗料で描画された複数の縦区画線１６と複数の横区画線１８とを格子状に交差してマトリクス表形式に区画形成されており、ひと月分のすなわち１〜３１日分の日付表示２０ａを表した３１個の日付表示区画２０が形成されている。日付表示区画２０は、同じマス目大きさの７列×５行の行列で縦横整列されたうちの３１個のマス目（矩形状区画）を利用しており、日付が７日周期すなわち１週間を周期として改行されるように構成され、１行目には左から右側のマス目へ順に１〜７の日付表示２０ａが、２行目には左から８〜１４の日付表示が、３行目には左から１５〜２１の日付表示が、４行目には左から２２〜２８の日付表示が、５行目には左から３個分のみに２９〜３１の日付表示が、それぞれ記載されている。なお、残りの最下段の４個のマス目は空欄となっている。各日付表示区画２０は日付表示２０ａが左上隅部に用意には消えないような塗料で記載され、その残りは余白部分２０ｂが設けられている。余白２０ｂには、例えば祝日やイベント等を記載した祝日表示磁石２８、行事表示磁石３０等を吸着させたり、予定等をマーカー及び字消し具を介して記入、消去したりすることができる。ベース板１２は、必要に応じて、例えば紐や金具を取り付けて壁に掛けたり、支持台やスタンド等を取り付けて机上に置いたりしてもよい。
【００１３】
最上段の７個の日付表示区画２０の上方側には、縦に並ぶ各列の日付表示区画２０に対応する曜日を表示させるスペースであって、かつ曜日を表示する曜日表示磁石１４１〜１４７を１個ずつ配置させるためのスペースとなる曜日表示用区画２２が形成されている。曜日表示用区画２２は、日付表示区画２０を形成している縦区画線１６の上方への延長部分で左右を区画されて各日付表示区画２０と同じ横幅で形成され、上方側を日付表示区画２０の横区画線と平行な横区画線１８で区画されており、文字等の記載がない空白欄となっている（図２参照）。すなわち、複数の縦区画線１６と複数の横区画線１８で形成した７列×６行のマス目行列の内、一番上の行の７個を空欄として日付表示区画２２とし、その下方部分を日付表示区画２０としているともいえる。なお、図１では、曜日表示用区画２２の縦幅は日付表示区画２０の縦幅よりも小さく形成されている。
【００１４】
本実施形態では、ベース板１２の表面の曜日表示用区画２２の上方側に、月表示用区画２４が形成されている。月表示用区画２４は、例えば、月の文字表示を消えないように記載させておくか又は空欄で形成されており、月ごとにマーカーでその月の数字を書き換え記入することにより表示されるようになっている。月表示用区画２４は、７個の曜日表示用区画２２の横幅を連続した横広い１つの区画で設けられており、月の表示の隣に年（例えば西暦又は和暦）をマーカー等で記入して表示できるようになっている。なお、１〜１２月の各月を記載した１２個の磁石を用意しておき、月が変わるごとに月表示用区画２４に着脱させて表示を変更するようにしてもよい。
【００１５】
曜日表示磁石１４１〜１４７は、表面に七曜をあらわす日、月、火、水、木、金、土の各曜日がそれぞれ異なって表示された磁力吸着部材であり、ベース板１２の曜日表示用区画２２に磁力吸着されることで縦に並んだ各列の日付表示区画２０に対応した曜日を表示する曜日表示手段である。曜日表示磁石１４１〜１４７は、例えば、厚みが薄い矩形状のゴム板磁石からなり、表面に各曜日が表示され、裏面を磁力吸着面としている。上記のように日付表示区画２０の日付表示が固定表示されているのに対して、曜日表示磁石１４１〜１４７は、その磁力吸着面をベース板１２に対して簡単に着脱させながら、その配置位置を自由に変更することができる。すなわち、月が変更されるのと同時に変更される日付と曜日との対応関係に応じて、曜日表示磁石１４１〜１４７の配置を変更させて利用することができる。なお、曜日表示磁石の曜日表示は、例えば日曜、月曜等の表示、Ｓｕｎｄａｙ，Ｍｏｎｄａｙ等の英語表記、Ｓｕｎ，Ｍｏｎ等の英語の省略表記等、その他任意の曜日表示でもよい。
【００１６】
さらに、ベース板１２の表面には、１２個の曜日参照区画２６が形成されている。曜日参照区画２６は、月の変更時において曜日表示磁石１４１〜１４７を変更配置させる際に参照することができ、それらの曜日表示磁石１４１〜１４７の適切な配置位置の目安とすることができる曜日参照手段である。本実施形態では、曜日参照区画２６は、例えば、各１年の１〜１２月の各月の１日（ついたち）に対応する曜日を表示させるようになっている。曜日参照区画２６は、各マス目の上側に１月１日等の各月１日付表示２６ａが消えない塗料で表示され、下側の余白部分２６ｂにそれらの対応する曜日をマーカー等で記入して表示するようになっており、年が変更されるごとに、曜日部分２６ｂをマーカー等で書き換えて表示を変更される。曜日参照区画２６は、例えば、日付表示区画２０、曜日表示用区画２２及び月表示用区画２４が形成されたマトリクス表部分に隣接し、該表記の左側に１月〜６月分の６個の区画が縦に並べて配列されるとともに、右側に７月〜１２月分の残りの６個の区画が縦に並べて配列されている。さらに、各曜日参照区画２６は、日付表示区画２０を形成している横区画線１８の左右外側への延長部分により上下を区画され、日付表示区画２０を形成している縦区画線１６と平行な縦区画線１８で外側を区画されている。一番上の（１月１日と７月１日の）曜日参照区画２６は曜日表示用区画２２及び月表示用区画２４の左右両外側に配置され、残りの１０個の曜日参照区画２６は７日分横並びされた日付表示区画２０の各段の左右両外側にそれぞれ配置されて構成されている。これにより、曜日参照区画２６を効率良くかつ見やすい配置を実現している。なお、曜日参照区画２６は、各月の１日に限らず、例えば、２日、７日或いは末日等その他任意の一日に対応した曜日を表示するようにしてもよい。また、曜日参照区画２６は、例えば、各月の第１日曜日又は任意の曜日に対応する日付等を表示するようにしてもよい。
【００１７】
次に、本実施形態に係るカレンダー１０の作用について説明する。例えば、図１において、曜日参照区画２６には各月の１日の曜日をマーカー等で記入されている。２００９年５月を表示した例では、５月１日に対応するのが金曜日であるので、一番左側から右側の曜日表示欄２２へ金、土、．．．、木と順に表示される曜日表示磁石が配置されている。なお、日付表示区画２０の余白部分には日付に対応して「憲法記念日」や「みどりの日」等の祝日が表示された祝日表示磁石２８や、「結婚記念日」や「誕生日」等の行事やイベント等が表示された行事表示磁石３０等が貼り付けられている。次に、図２に示すように、月が５月から６月に変更された場合には、月表示用区画２４の５月の表記を字消し具等で消してマーカー等で６月に書き改めるとともに、曜日表示磁石１４１〜１４７の配置位置を変更する。この際、曜日参照区画２６を参照することで、６月１日に対応するのが月曜日だと即座に分かることができ、左側の曜日表示区画２２に月（月曜日）が表示された曜日表示磁石１４２を配置し、右側へ順に、火、水、．．．、日の曜日表示磁石を配置させていく。これにより、７個の曜日表示磁石１４１〜１４７を入れ換えるだけの簡単な操作で済むとともに、スムーズにかつ適正な配置変更作業を行うことができ、使い勝手が良い。なお、祝日表示磁石２８や行事表示磁石３０等も取り替える。また、６月は３０日までしかないので、例えば、白い無地表記の板磁石等を３１日の日付表示区画２０に貼り付けて３１日の日付表示を隠す。また、図３に示すように、年が変わって、２００９年から２０１０年に変更する際には、月表示用区画２４の月及び年の表記を字消し具で消してマーカーで１月、２０１０年の表示に書き直す。同時に、曜日参照区画２６の各月の曜日の表記を字消し具等で消し、２０１０年での各月の１日の曜日をマーカー等で記入する。そして、上記同様に、日付に対応して各曜日表示磁石１４１〜１４７の配置位置を変更する。このように簡単な操作で月ごとに表示を変更させながら繰返し使用できる。よって、無駄な紙の使用の低減及びゴミの排出量の低減を図ることができ、環境に優しく使用できる。
【００１８】
以上説明した本考案のカレンダーは、上記した実施形態のみの構成に限定されるものではなく、実用新案登録請求の範囲に記載した本考案の本質を逸脱しない範囲において、任意の改変を行ってもよい。
【産業上の利用可能性】
【００１９】
本考案のカレンダーは、家庭や職場等、日常での日付や曜日の確認、スケジュール管理等に利用できる。
【符号の説明】
【００２０】
１０    カレンダー
１２    ベース板
１４１〜１４７    曜日表示磁石
１６    縦区画線
１８    横区画線
２０    日付表示区画
２２    曜日表示用区画
２４    月表示用区画
２６    曜日参照区画
【図１】
0003153002.tif 000003
【図２】
0003153002.tif 000004
【図３】
0003153002.tif 000005